(57)【要約】【課題】  好みの音楽や音声の着信音を選択しても、小さな音量で、しかも携帯電話を折り畳んだ状態でも聞きやすい、着信音を発生できる携帯電話を提供する。【解決手段】  携帯電話が畳まれた状態か、開いた状態かを検出し、開閉状態を示す状態信号を出力する状態検知手段と、状態信号を入力する制御手段と、制御手段からの状態信号に応じてレジスタの内容が設定されるフィルタ係数レジスタと、フィルタ係数レジスタの内容に応じた周波数特性を発揮するプログラマブル・フィルタと、プログラマブル・フィルタに入力される楽音を発生するトーン・メロディ発生手段と、プログラマブル・フィルタの出力をアナログオーディオ信号に変換するオーディオ信号変換手段と、オーディオ信号変換手段の出力を音に変換するスピーカーとを有し、状態検知手段からの状態信号の出力に応じて、フィルタ係数レジスタの設定を変えて、携帯電話から発生する楽音の音色を変える。【選択図】  図１
2005236612.tif 000002
【特許請求の範囲】
【請求項１】
折り畳み式の携帯電話において、
折り畳んだ状態と、開いた状態とで前記携帯電話から発生する楽音の音色をそれぞれ変えることを特徴とする携帯電話。
【請求項２】
前記携帯電話が畳まれた状態か、開いた状態かを検出し、前記携帯電話の開閉状態を示す状態信号を出力する状態検知手段と、
前記状態検知手段から前記状態信号を入力する制御手段と、
前記制御手段からの前記状態信号に応じてレジスタの内容が設定されるフィルタ係数レジスタと、
前記フィルタ係数レジスタの内容に応じた周波数特性を発揮するプログラマブル・フィルタと、
前記プログラマブル・フィルタに入力される楽音を発生するトーン・メロディ発生手段と、
前記プログラマブル・フィルタの出力をアナログオーディオ信号に変換するオーディオ信号変換手段と、
前記オーディオ信号変換手段の出力を音に変換するスピーカーとを有し、
前記制御手段は、前記状態検知手段からの前記状態信号の出力に応じて、前記フィルタ係数レジスタの設定を変えることにより、前記携帯電話から発生する楽音の音色を変えることを特徴とする請求項１記載の携帯電話。
【請求項３】
前記制御手段は、前記状態検知手段からの前記状態信号に応じて、前記スピーカーから出力する楽音の音色を決定し、前記決定した楽音の音色を示す選択信号を出力することを特徴とする請求項２記載の携帯電話。
【請求項４】
前記トーン・メロディ発生手段は、着信音として利用するための複数の音源を記憶し、前記制御手段から入力される前記選択信号に従って選択された楽音を、前記音源の中から出力することを特徴とする請求項２記載の携帯電話。
【請求項５】
前記制御手段は、前記決定した楽音の音色をデジタルデータとしてインターフェイス手段を介して前記フィルタ係数レジスタに出力することを特徴とする請求項３記載の携帯電話。
【請求項６】
前記プログラマブル・フィルタは、前記フィルタ係数レジスタの内容によって前記トーン・メロディ発生手段から出力される楽音の周波数特性を調整することを特徴とする請求項２記載の携帯電話。
【請求項７】
前記周波数調整された楽音は、前記オーディオ信号変換手段でアナログ信号に変換され、前記スピーカーから出力されることを特徴とする請求項６記載の携帯電話。
【請求項８】
前記周波数特性は、ユーザによって設定可能であることを特徴とする請求項６記載の携帯電話。
【発明の詳細な説明】
【技術分野】
【０００１】
本発明は、携帯電話の着信音の音色に関し、詳しくは、携帯電話の状態によって、携帯電話から出力される楽音の音色を切り替えることが出来る携帯電話に関する。
【背景技術】
【０００２】
携帯電話が普及すると共に、携帯電話の機能も飛躍的に向上している。その中でも、着信音に関しては、従来の単調な呼び出し音に変わって、音楽や、人の声など多くの音声素材が用いられるようになってきた。また、携帯電話は小型化と表示サイズの大型化を両立させるため折り畳み式が一般的になっている。携帯電話のスピーカーは折り畳んだ状態ではスピーカーの出力面を塞がれた状態になっているため、着信音がくぐもった音になってしまっていた。
【０００３】
従来、携帯電話の音色を変える技術としては、特開平７−２９７８８７（特許文献１参照）や特表２０００−５１６４１３（特許文献２参照）などがある。
【０００４】
特許文献１の発明の構成を図２に示す。図２に示すように、受信した音声信号の感度周波数特性を調整するデジタルフィルタを含むデジタル方式感度周波数特性調節器１１を設け、使用環境や使用状態のいかんにかかわらず、受信音声を聞きやすくするものである。
【０００５】
また、特許文献２の発明は、スピーカーに供給される音声信号の周波数特性にフィルタリング処置を施し聞きやすい音声に変換するものである。
【０００６】
また、呼出音については特公昭５８−３１７８６（特許文献３参照）に、音量および／または音色の異なる複数の呼出音のデータをデジタルデータとして記憶しておき、選択的に抽出し音声として出力する技術が開示されている。特許文献３の発明の構成を図３に示す。複数の呼出音を記憶しておき、呼出音選択スイッチによって所望の呼出音を選択するようにしている。
【特許文献１】特開平７−２９７８８７号公報
【特許文献２】特表２０００−５１６４１３号公報
【特許文献３】特公昭５８−３１７８６号公報
【発明の開示】
【発明が解決しようとする課題】
【０００７】
しかしながら、携帯電話の着信音は、従来の単調な電子音から進化し、現在では音楽や音声が主体になっている。また、携帯電話の性質上着信音の音量を大きくすると、場所によっては周囲に多大な迷惑を及ぼす場合がある。そのため、着信音は可能な限り小さい音量に設定することになるが、そうするとバッグ等にしまっている場合は、着信音に気がつかない場合がある。さらに、携帯電話を折り畳んでいる場合は、着信音がくぐもった音になり余計聞き取り難い音になってしまった。
【０００８】
また、上記特許文献１及び２記載の発明は、いずれも受信した音声が受信場所の環境や、受信者の状態によってより聞きやすい音声にするために周波数特性を調整するものであり、着信音(呼出音)についての考慮はされていなかった。
【０００９】
本発明は、上記事情に鑑みてなされたものであり、好みの音楽や音声の着信音を選択しても、小さな音量で、しかも携帯電話を折り畳んだ状態でも聞きやすい、着信音を発生できる携帯電話を提供することを目的とする。
【課題を解決するための手段】
【００１０】
かかる目的を達成するために、本発明は、折り畳み式の携帯電話において、  折り畳んだ状態と、開いた状態とで携帯電話から発生する楽音の音色をそれぞれ変えることを特徴とする。
【００１１】
また、本発明の携帯電話によれば、携帯電話が畳まれた状態か、開いた状態かを検出し、携帯電話の開閉状態を示す状態信号を出力する状態検知手段と、状態検知手段から状態信号を入力する制御手段と、制御手段からの状態信号に応じてレジスタの内容が設定されるフィルタ係数レジスタと、フィルタ係数レジスタの内容に応じた周波数特性を発揮するプログラマブル・フィルタと、プログラマブル・フィルタに入力される楽音を発生するトーン・メロディ発生手段と、プログラマブル・フィルタの出力をアナログオーディオ信号に変換するオーディオ信号変換手段と、オーディオ信号変換手段の出力を音に変換するスピーカーとを有し、制御手段は、状態検知手段からの状態信号の出力に応じて、フィルタ係数レジスタの設定を変えることにより、携帯電話から発生する楽音の音色を変えることを特徴とする。
【００１２】
また、本発明の携帯電話によれば、制御手段は、状態検知手段からの状態信号に応じて、スピーカーから出力する楽音の音色を決定し、決定した楽音の音色を示す選択信号を出力することを特徴とする。
【００１３】
また、本発明の携帯電話によれば、トーン・メロディ発生手段は、着信音として利用するための複数の音源を記憶し、制御手段から入力される選択信号に従って選択された楽音を、音源の中から出力することを特徴とする。
【００１４】
また、本発明の携帯電話によれば、制御手段は、決定した楽音の音色をデジタルデータとしてインターフェイス手段を介してフィルタ係数レジスタに出力することを特徴とする。
【００１５】
また、本発明の携帯電話によれば、プログラマブル・フィルタは、フィルタ係数レジスタの内容によってトーン・メロディ発生手段から出力される楽音の周波数特性を調整することを特徴とする。
【００１６】
また、本発明の携帯電話によれば、周波数調整された楽音は、オーディオ信号変換手段でアナログ信号に変換され、スピーカーから出力されることを特徴とする。
【００１７】
また、本発明の携帯電話によれば、周波数特性は、ユーザによって設定可能であることを特徴とする。
【発明の効果】
【００１８】
本発明によれば、携帯電話を折り畳んだ状態と開いた状態で着信音の音色を変えるようにしたため、比較的小さい音量に設定していても、折り畳んだ状態に於いても、聞き取りやすい着信音を発生でき、周囲に迷惑をかけることなく電話の着信を知ることができる。
【発明を実施するための最良の形態】
【００１９】
以下、本発明を実施するための最良の形態について添付図面を参照して詳細に説明する。
【００２０】
図１に本発明の実施形態である携帯電話の構成を示す。図１に示すように本実施形態の携帯電話は、携帯電話が折り畳まれているのか、又は開いているのかを検出する状態検知手段１と、ＣＰＵを含む制御回路２（制御手段）と、ＣＰＵインターフェイス３（インターフェイス手段）と、音質可変フィルタであるプログラマブル・フィルタ６と、プログラマブル・フィルタ６の特性を設定するフィルタ係数レジスタ４と、各種のトーン・メロディを発生するトーン・メロディ発生器５（トーン・メロディ発生手段）と、プログラマブル・フィルタ６からの信号をアナログ信号に変換するオーディオＤ／Ａコンバータ７（オーディオ信号変換手段）と、スピーカー８とで構成されている。
【００２１】
状態検知手段１は、携帯電話が開いている状態か、折り畳まれている状態かを検出し、携帯電話の開閉状態を示す信号である状態信号を制御回路２に送る。制御回路２は、ＣＰＵを含み各種の制御を行う制御手段である。この制御回路２は、状態検知手段１からの状態信号に応じて、スピーカー８から出力する楽音の音色を決定する。また、制御回路２に入力される入力信号によって、制御回路２はトーン・メロディ発生器５から出力する楽音を選択するので、上記音色決定に際しては選択されている楽音に適した音色を決定することができる。
【００２２】
トーン・メロディ発生器５は、着信音として利用するための、音楽や音声などさまざまな音源が複数記憶されている。そして、制御回路から出力される、制御回路で決定した楽音を選択するための選択信号に応じて、記憶された音源から所望の楽音が選択して出力する。
【００２３】
また、制御回路２で決定した音色は、デジタルデータとしてインターフェイス回路(CPU I/F)３を介してフィルタ係数レジスタ４に送られる。フィルタ係数レジスタ４の内容によってプログラマブル・フィルタ６はトーン・メロディ発生器５から出力される楽音の周波数特性を調整する。周波数調整された楽音はオーディオＤ／Ａ変換器７でアナログ信号に変換されスピーカー８から出力される。
【００２４】
周波数調整に関しては、例えば、携帯電話をバッグ等にしまってある場合には、閉じた状態で高域を強調した特性にして、バッグの中にあっても聞き取りやすい音質に調整する。また、首からぶら下げているように、携帯電話がむき出しの場合には、閉じた状態で高域を弱めた特性にして、周りの人に対して耳あたりの良い音質に調整する。携帯電話を閉じた状態でどのような周波数特性にするかは、ユーザが設定できるようにすればよい。
【００２５】
以上、本発明の実施形態である携帯電話によれば、携帯電話を折り畳んだ状態と開いた状態で着信音の音色を変えるようにしたため、比較的小さい音量に設定していても、折り畳んだ状態に於いても、聞き取りやすい着信音を発生でき、周囲に迷惑をかけることなく電話の着信を知ることができる。
【００２６】
以上、本発明の実施形態について説明したが、上記実施形態に限定されるものではなく、その要旨を逸脱しない範囲において種々の変形が可能である。
【図面の簡単な説明】
【００２７】
【図１】本発明の実施形態に係る携帯電話の内部構成を示すブロック図である。
【図２】特許文献１の発明に係る携帯電話の内部構成を示すブロック図である。
【図３】特許文献２の発明に係る携帯電話の内部構成を示すブロック図である。
【符号の説明】
【００２８】
１    状態検知手段
２    制御回路（ＣＰＵ）
３    ＣＰＵ  Ｉ／Ｆ
４    フィルタ係数レジスタ
５    トーン・メロディ発生器
６    プログラマブル・フィルタ
７    オーディオＤ／Ａ変換器
８    スピーカー
９    無線部
１０    デジタル信号処理回路
１１    デジタル方式感度周波数特性調整器
１２    Ｄ／Ａ
１３    アナログ信号処理回路
１４    受話器
１５    呼出信号検出回路
１６    入力端子
１７    並列入力端子
１８    中央処理装置
１９    メモリ
２０    並列出力端子
２１    Ｄ／Ａ
２２    ローパスフィルタ
２３    増幅器
２４    サウンダー
【図１】
2005236612.tif 000003
【図２】
2005236612.tif 000004
【図３】
2005236612.tif 000005